(57)【要約】      （修正有）【課題】タンク隔壁の仮取り付け作業を容易にすると共に、各支柱の受け板の間にズレが生じた場合にも支障のなくタンク隔壁の仮取付けできる構成を提供する。【解決手段】タンク隔壁の仮取り付け構成は、タンク室内を区分して複数のタンク１６を構成するために、各タンク１６の区分支柱１４に受け板１９、２０をそれぞれ設け、これらの受け板１９、２０にタンク隔壁１５を押え金具により仮取付けする構成において、各タンク１６の区分支柱１４に支持ボルト２１を設け、この支持ボルト２１に支持された押え金具２５、２６の一端部２５ａ、２６ａが押圧して受け板１９、２０の面との間でタンク隔壁１５を固定する。【選択図】図４
2005289438.tif 000002
【特許請求の範囲】
【請求項１】
タンク室内を区分して複数のタンクを構成するために、各タンクの区分支柱に複数の受け板をそれぞれ設け、これらの受け板にタンク隔壁を仮取付けする構成において、各タンクの区分支柱に支持ボルトを設け、この支持ボルトに支持された押え金具の一端部がタンク隔壁を押圧して前記受け板の面との間でタンク隔壁を固定することを特徴とするタンク隔壁の仮取り付け構成。
【請求項２】
押え金具の一端部が、タンク隔壁に対する押圧方向に向けて屈曲されている請求項１に記載されたタンク隔壁の仮取付け構成。
【請求項３】
押え金具の他端部が、区分支柱と当接することができるようにその押圧方向に向けて屈曲されている請求項１に記載されたタンク隔壁の仮取付け構成。
【発明の詳細な説明】
【技術分野】
【０００１】
本発明は、飼料タンクなどの広容積のタンク室の内部をより小さい容積のタンクに区分するために、タンクの区分支柱にタンク隔壁をより容易に仮取付けすることができる構成に関するものである。
【背景技術】
【０００２】
従来、飼料タンクなどのように広容積を有するタンク室は、そのタンク室内を原料タンク、半製品タンク及び製品タンクなどに細かく区分し、これらのタンクの下端に設けた取出口から飼料等をそれぞれ取り出すようにされている。従来は、タンク隔壁の最終的な溶接等による固定に先立って、タンク室内を各タンクに細分化するのに各タンクの区分支柱を設け、これらの区分支柱の間にタンク隔壁をそれぞれ仮に取り付けるようにした構成が採用されている。
【０００３】
従来のタンク隔壁の仮取付け構成は、特許文献１に示されるように、タンク室内をタンクに区分するために、図５に示すように、各区分支柱１の間にタンク隔壁５を固定したものである。
【０００４】
すなわち、この従来の構成では、図６に示すように、支柱１の隅部に受け板２をそれぞれ設け、この受け板２にボルト６とナット７で締め付けることによりあるいは溶接することにより、固定されるものである。このような固定構成により、タンク隔壁５により区分されるタンクが構成されていたことから、タンク隔壁５の端縁部にはボルト７を挿通させるためのボルト孔等を予め対応した位置に設けていることが必要であった。
【特許文献１】特許第２８８５６４７号公報
【発明の開示】
【発明が解決しようとする課題】
【０００５】
しかしながら、上記した従来のタンク隔壁の仮取付け構成では、各区分支柱１の受け板２とタンク隔壁５との間に変形等によりズレが生じることが多い。タンク室が１０ｍを超える程の高いものである場合には特にそのようなズレが生じ易い。各区分支柱１の受け板２の間にズレが生じると、それに対処することが非常に困難であった。すなわち、この場合、そのズレに応じた寸法分だけタンク隔壁５におけるボルト孔等の位置を変更する必要があるからである。
【０００６】
そこで、本発明は、タンク隔壁の仮取り付け作業を容易にすると共に、各支柱の受け板の間にズレが生じた場合にも支障なくタンク隔壁の仮取付けできる構成を提供することを目的とした。
【課題を解決するための手段】
【０００７】
上記した目的を達成するため、本発明のタンク隔壁の仮取付け構成は、タンク室内を区分して複数のタンクを構成するために、各タンクの区分支柱に複数の受け板をそれぞれ設け、これらの受け板にタンク隔壁を仮取付けする構成において、各タンクの区分支柱に支持ボルトを設け、この支持ボルトに支持された押え金具の一端部がタンク隔壁を押圧して前記受け板の面との間でタンク隔壁を固定することを特徴とする。
【０００８】
上記した本発明のタンク隔壁の仮取付け構成では、各タンクの区分支柱に受け板と、支持ボルトとが設けられる。この支持ボルトに支持された押え金具の一端部を押圧してタンク隔壁を受け板面に固定するように構成した。
【０００９】
本発明のタンク隔壁の仮取付け構成には、押え金具の押圧する一端部が、タンク隔壁に対する押圧方向に向けて屈曲されている場合も含まれる。
【００１０】
さらに、本発明は、押え金具の他端部が、区分支柱と当接することができるようにその押圧方向に向けて屈曲されている場合も含まれる。
【発明の効果】
【００１１】
上述したように本発明のタンク隔壁の仮取付けは構成されているから、次のような効果が発揮される。本発明では、このように本発明は、押え金具によりタンク隔壁を受け板との間で押圧するだけで仮取付けするから、タンク隔壁の仮取付け作業が簡単であり、しかもその部分についてはボルトとナットによる固定作業が不要となる結果、取付けの作業自体を迅速に行うことができる。
【００１２】
タンク隔壁及び区分支柱の受け板にはボルト孔を設けておく必要がなく、予め開孔する作業を省略できるから、より安価なタンク隔壁及び区分支柱を大きな強度を保持する状態で使用することができる。
【００１３】
本発明において、押え金具の押圧する一端部が、タンク隔壁に対する押圧方向に向けて屈曲されている構成による場合、押え金型の一端部がその屈曲された端部の先鋭な端縁によりタンク隔壁を押圧することになるから、タンク隔壁に対する押圧力をより強力に作用させることができる。これによって、より安定した状態で区分支柱にタンク隔壁を仮取付けすることができる。
【００１４】
本発明において、押え金型の他端がその押圧方向に向けて屈曲されていると、タンク隔壁に対する押圧と同時に、その他端は区分支柱に当接して押え金具が支持ボルトでの支持状態がより安定化される。この押え金具の支持状態の安定化により、タンク隔壁に対する押圧がより安定となる。この場合、押え金具の他端の先鋭な端縁による安定化作用については前記と同様である。
【発明を実施するための最良の形態】
【００１５】
次に本発明に係るタンク隔壁の仮取付け構成の実施の形態を図に基づいて説明する。図１には、タンク隔壁の仮取付け構成１０の底面態様を示した。
【００１６】
仮取付け構成１０は、本体支柱１２と外壁１３とで構成されているタンク室１１の内部を細分化された複数のタンク１６に区分するものである。すなわち、図２に示すように、各タンク１６を区分する位置に区分支柱１４がその高さ方向に沿ってそれぞれ共有する状態で配列されている。各タンク１６は、隣接する区分支柱１４の間にタンク隔壁１５がそれぞれ仮取付けられることにより形成される。
【００１７】
この区分された各タンク１６の下部の中間位置には、各タンク１６の内部に収容した収容物を容易に取り出すことができるように取出口１７、１８が設けられている。取出口１７は原料タンク用のものであり、取出口１８は半製品及び製品ようのものである。
【００１８】
各区分支柱１４には、その隅部位置に受け板１９、２０が溶接等によりそれぞれ固定されている。これらの受け板１９、２０は、タンク隔壁１５を支障なく仮取付けすることができる位置にそれぞれ対称形をなすように設けられている。受け板１９は区分支柱１４の対応する側面に沿ってそれぞれ設けられ、また受け板２０は区分支柱１４の対応する隅部の突出する向きにそれぞれ設けられている。受け板１９、２０は、区分支柱１４に沿う長尺板材であるほか、複数の短尺板材の複数であってもよい。
【００１９】
区分支柱１４には、その側面位置に支持ボルト２１が突出する状態でそれぞれ固定されている。支持ボルト２１は、区分支柱１４の固定位置に応じて一定間隔で設けられている。各支持ボルト２１の固定は、溶接等されていることが好ましい。区分支柱１４における支持ボルト２１の固定位置を常に一定に確保するためである。
【００２０】
使用するタンク隔壁１５としては、図３に示すように、タンク隔壁基板１５Ａと１５Ｂの２種類のものを使用する。タンク隔壁基板１５Ａでは両方の端縁部１５Ａａが同一の向きに屈曲されており、またタンク隔壁基板１５Ｂでは両方の端縁部１５Ｂａがいずれも屈曲されていない。これらのタンク隔壁基板１５Ａ及び１５Ｂは、隣接する区分支柱１４の間に仮取付けられる。
【００２１】
図４に示すように、先ず、タンク隔壁基板１５Ａの端縁部１５Ａａを受け板１９の面に重ね合わせる。押え金具２５は、その中央部付近にボルト孔が設けられ、また両端部２５ａ、２５ｂが屈曲部２５ｃでそれぞれ同一方向に屈曲されている。
【００２２】
押え金具２５を対応する支持ボルト２１に支持させると共に、端部２５ａを重ね合わせに係るタンク隔壁基板１５Ａの端縁部１５Ａａに位置させ、また端部２５ｂを区分支柱１４の側面に位置させる。さらに、支持ボルト２１にナット２２を螺合し締めつけて固定する。ナット２２の固定時に押え金具２５が支持ボルト２１に対する締め付け方向に沿って押圧される。この押圧作用によって、押え金具２５の端部２５ａがタンク隔壁基板１５Ａの端縁部１５Ａａに当接して、端縁部１５Ａａを受け板１９の面との間で強く挟持することになる。
【００２３】
この場合、押え金具２５の端部２５ａは、屈曲部２５ｃによってその先鋭部で押圧することになるから、端部２５ａの先鋭部が端縁部１５Ａａの面にくい込んだ状態で押圧されることになる。このため、タンク隔壁基板１５Ａの端縁部１５Ａａは押え金具２５でより安定化された状態で仮取付けされる。
【００２４】
押え金具２５の端部２５ｂは、上記の押圧と同時に区分支柱１４の側面に強く当接する。この当接により、上記同様に端部２５ｂの先鋭部が区分支柱１４の側面にくい込んだ状態となって、押え金具２５のナット２２による締め付け位置が確保される。このため、タンク隔壁基板１５Ａの仮取付け状態がより安定化する。
【００２５】
タンク隔壁基板１５Ｂについても、その端縁部１５Ｂａを受け板２０の面に重ね合わせて、タンク隔壁基板１５Ａの場合と同様に押え金具２６で押圧して仮取付けられる。
【００２６】
押え金具２６は、押え金具２５とは異なって、区分支柱１４の側面と受け板２０との間の角度に応じて屈曲して形成されている。この押え金具２６の屈曲形状によって、押え金具２６の押圧時に、その端部２６ａが重ね合わせに係るタンク隔壁基板１５Ｂの端縁部１５Ｂａを強く押圧できるようになっている。また、屈曲部２６ｃの存在によって、端部２６ａ、２６ｂの先鋭部が端縁部１５Ｂａや区分支柱１４の側面に強く当接されることになるのは前記と同様である。２３、２４は、タンク隔壁基板１５Ａ及び１５Ｂの表面に設けられている隔壁パネルである。
【００２７】
このようにタンク室１１の内部がタンク隔壁１５で区分されることにより、複数のタンク１６が形成される。また、隣接する左右のタンク１６の間は、タンク隔壁１５をそれぞれ共有し、タンク室１１の内部を効率的に区分している。
【００２８】
このように仮取付けされた各タンク隔壁１５は、押え金具２５、２６の端部２５ａ、２６ａを受け板１９、２０の面に押圧して取付けられているので、各区分支柱１４の間に位置のズレが生じた場合でも、従来の構成でのように、各区分支柱１４の間の位置のズレに応じてタンク隔壁のボルト孔の位置を変更する必要はない。
【００２９】
また、タンク隔壁１５に対する仮取付け作業も支持ボルト２１へのナット２２の締め付け作業だけで済むから、簡単かつ迅速に行うことができる。各タンク隔壁１５については、上記した仮取付け後に溶接等により実質的に受け板１９、２０に固定される。なお、上記した仮取付け構成は、タンク内部に突起物を残さないよう、タンク隔壁１５を溶接等で受け板１９、２０に固定する際にナット２２および押え金具２５、２６を取りはずすと共に、ボルトは切削除去することが好ましい。
【図面の簡単な説明】
【００３０】
【図１】本発明のタンク隔壁の仮取付け構成の態様を示す部分底面図である。
【図２】本発明のタンク隔壁の仮取付け構成の態様を示す側面図である。
【図３】本発明のタンク隔壁の仮取付け構成におけるタンク隔壁の仮取付け状態を説明する部分平面図である。
【図４】本発明のタンク隔壁の仮取付け構成におけるタンク隔壁の仮取付け状態を説明する部分拡大平面図である。
【図５】従来のタンク隔壁の仮取付け構成におけるタンク隔壁の仮取付け状態を説明する部分平面図である。
【図６】従来のタンク隔壁の仮取付け構成におけるタンク隔壁の仮取付け状態を説明する部分拡大平面図である。
【符号の説明】
【００３１】
１０  タンク隔壁の仮取付け構成
１１  タンク室
１２  本体支柱
１３  外壁
１４  区分支柱
１５  タンク隔壁
１５Ａ、１５Ｂ  タンク隔壁基板
１５Ａａ、１５Ｂａ  端縁部
１６  タンク
１７、１８  取出口
１９、２０  受け板
２１  支持ボルト
２２  ナット
２５  押え金型
２５ａ、２５ｂ  端部
２５ｃ  屈曲部
２６  押え金具
２６ａ、２６ｂ端部
２６ｃ  屈曲部
【図１】
2005289438.tif 000003
【図２】
2005289438.tif 000004
【図３】
2005289438.tif 000005
【図４】
2005289438.tif 000006
【図５】
2005289438.tif 000007
【図６】
2005289438.tif 000008